(57)【要約】    【課題】サイドポケットの確実な防水が実現されつつ、釣人が片手で容易にサイドポケットの開閉を行うことができる釣用バッグの提供。    【解決手段】この釣用バッグ１０は、バッグ本体１１の前面１７にサイドポケット１８を有する。サイドポケット１８の上面２０にはスライドファスナー１９が設けられている。サイドポケット１８の上方に防水カバー２２が設けられている。防水カバー２２は、サイドポケット１８の上面２０を覆う姿勢と、当該上面２０を開放する姿勢との間で姿勢変化可能である。防水カバー２２が開放姿勢となったとき、面ファスナー２５によって防水カバー２２は当該開放姿勢に固定される。面ファスナー２５に代えてスナップが採用されてもよい。【選択図】図１
2005261249.tif 000002
【特許請求の範囲】
【請求項１】
開閉部を有するサイドポケットが側壁外部に設けられたバッグ本体と、
サイドポケットの上部に配置され、上記開閉部を覆う被覆姿勢と上記開閉部を開放する開放姿勢との間で俯仰自在に設けられた防水カバーと、
防水カバーを上記開放姿勢に固定する固定部材とを備えた釣用バッグ。
【請求項２】
上記固定部材は、面ファスナー又はスナップから構成される釣用バッグ。
【請求項３】
開閉部を有するサイドポケットが側壁外部に設けられたバッグ本体と、
サイドポケットの上部に配置され、上記開閉部を覆う防水カバーとを有し、
当該防水カバーは、上記バッグ本体に着脱自在に取り付けられている釣用バッグ。
【発明の詳細な説明】
【技術分野】
【０００１】
本発明は、釣り道具等を収納するためのバッグの構造に関するものである。
【背景技術】
【０００２】
図４は、従来の釣用バッグの外観斜視図である。同図が示すように、従来の一般的な釣用バッグ１は、内部にタックル収容室が区画された本体２と、本体２に設けられた把手３及び肩掛ベルト４とを備えており、本体２には、サイドポケット５が設けられている。サイドポケット５には、実釣時に使用される小道具等が収容される。サイドポケット５は、一般にスライドファスナーによって開閉される。本体２には、このスライドファスナー等を覆うカバー６が設けられており、これにより、スライドファスナーからサイドポケット５内への水の侵入が防止されている（例えば、非特許文献１参照）。
【０００３】
【非特許文献１】株式会社シマノ  ２００３  Fishing Tackle Catalogue（第１８１頁）
【発明の開示】
【発明が解決しようとする課題】
【０００４】
このカバー６は、ゴム又は樹脂により構成されており、弾性変形が可能である。しかし、カバー６は、確実に上記スライドファスナーを覆うために一定の剛性を有する。そのため、例えば、釣人が片手でカバー６をまくり上げながら上記スライドファスナーを操作することは容易ではなく、したがって、釣人にとって、実釣中に釣竿を持ちながらサイドポケット５から小道具等を取り出す作業は困難であった。
【０００５】
そこで、本発明の目的は、サイドポケットの確実な防水が実現されつつ、釣人が片手で容易にサイドポケットの開閉を行うことができる釣用バッグを提供することである。
【課題を解決するための手段】
【０００６】
(1) 上記目的が達成されるため、本発明に係る釣用バッグは、開閉部を有するサイドポケットが側壁外部に設けられたバッグ本体と、サイドポケットの上部に配置され、上記開閉部を覆う被覆姿勢と上記開閉部を開放する開放姿勢との間で俯仰自在に設けられた防水カバーと、防水カバーを上記開放姿勢に固定する固定部材とを備えていることを特徴とするものである。
【０００７】
この構成によれば、防水カバーが被覆姿勢のときは、サイドポケットの開閉部が防水カバーによって覆われるので、サイドポケットの確実な防水が実現される。防水カバーは、俯仰自在であるから、釣人は、片手で防水カバーを操作し、簡単に開放姿勢に姿勢変化させることができる。しかも、固定部材により、防水カバーは、当該開放姿勢に固定されるので、釣人は、片手で簡単にサイドポケットの開閉を行うことができる。上記固定部材は、面ファスナー又はスナップから構成され得る。
【０００８】
(2) また、上記目的が達成されるため、本発明に係る釣用バッグは、開閉部を有するサイドポケットが側壁外部に設けられたバッグ本体と、サイドポケットの上部に配置され、上記開閉部を覆う防水カバーとを有し、当該防水カバーは、上記バッグ本体に着脱自在に取り付けられていることを特徴とするものである。
【０００９】
この構成によれば、防水カバーが取り付けられることにより、サイドポケットの確実な防水が実現される。また、防水カバーが取り外されることにより、サイドポケットの開閉部が露出するから、釣人は、片手で簡単にサイドポケットの開閉を行うことができる。
【発明の効果】
【００１０】
本発明では、防水カバーが開放姿勢に固定され、あるいは取り外されるので、釣人は、実釣中に片手で簡単にサイドポケットを開閉することができる。釣人は所望時に防水カバーを取り付け、あるいは被覆姿勢に姿勢変化させることにより、サイドポケットの確実な防水が実現される。
【発明を実施するための最良の形態】
【００１１】
以下、適宜図面が参照されつつ、好ましい実施形態に基づいて本発明が詳細に説明される。
【００１２】
＜第１の実施形態＞
図１は、本発明の第１の実施形態に係る釣用バッグの外観斜視図である。
この釣用バッグ１０は、バッグ本体１１と、把手１２と、肩掛ベルト１３とを備えている。把手１２は、バッグ本体１１の前面部１７及び後面部に取り付けられている。肩掛ベルト１３は、バッグ本体１１の両側面部間に架け渡されている。釣人は、この把手１２を把持することによって、又は、肩掛ベルト１３を肩に掛けることによって、当該釣用バッグ１０を持ち運びすることができる。
【００１３】
バッグ本体１１は、ケース１４と蓋１５とを備えており、両者は、スライドファスナー１６によって連結されている。したがって、蓋１５は、ケース１４に対して開閉自在となっている。ケース１４は、内部に収容室が区画されており、釣人は、所要の釣り道具等をケース１４に収容することができる。なお、ケース１４及び蓋１５は、例えば樹脂（典型的には、ポリエチレン（ＰＥ）、エチレン酢酸ビニル共重合体（ＥＶＡ）、ポリ塩化ビニル（ＰＶＣ）、ポリウレタン（ＰＵ）、ナイロン）により構成される。
【００１４】
バッグ本体１１の前面部１７（側壁外部）には、サイドポケット１８が設けられている。このサイドポケット１８も例えば樹脂により構成される。サイドポケット１８は、スライドファスナー１９を備えており、このスライドファスナー１９が操作されることによって、サイドポケット１８の上面２０（開閉部）及び側面２１が開閉されるようになっている。サイドポケット１８には、釣人が所望する小道具等が収容される。なお、上記スライドファスナー１９は、サイドポケット１８の側面２１にまで設けられているが、少なくともサイドポケット１８の上面２０に設けられていればよい。
【００１５】
また、バッグ本体１１の前面部１７には、防水カバー２２が取り付けられている。この防水カバー２２は、例えばゴムや樹脂（典型的には、エチレン酢酸ビニル共重合体（ＥＶＡ）、ポリ塩化ビニル（ＰＶＣ））から構成される。本実施形態では、防水カバー２２は、同図が示すようにアングル状に形成されている。具体的には、防水カバー２２は、上記前面部１７に片持ち状に連結された基部２３と、基部２３に略直交するように延設された延設部２４とを有する。基部２３は、上記前面部１７から外方へ突出しており、サイドポケット１８の上面２０を覆っている。延設部２４は、上記前面部１７に沿って下方へ延びており、サイドポケット１８の前面上部を覆っている。
【００１６】
防水カバー２２は、サイドポケット１８の上面２０及び前面を覆い、サイドポケット１８のスライドファスナー１９部分からの水の侵入を防ぐ。防水カバー２２の防水機能が確実に奏されるために、例えば、防水カバー２２を構成する材料の肉厚寸法が３ｍｍ〜２０ｍｍに設定される。これにより、防水カバー２２は、一定の剛性を有し、サイドポケット１８を確実に覆う。なお、防水カバー２２は、例えば面ファスナーによって、上記延設部２４がサイドポケット１８の前面に着脱自在に保持されていてもよい。
【００１７】
図２は、釣用バッグ１０の要部拡大側面図である。
防水カバー２２が上記材料で構成されるから、釣人は、所要時に防水カバー２２を弾性変形させることによって上方へまくり上げることができる。すなわち、防水カバー２２は弾性変形することによって俯仰することができ、図１が示すように、サイドポケット１８を覆う姿勢（被覆姿勢）と、図２の二点鎖線が示すように、バッグ本体１１の前面部１７に沿う姿勢（開放姿勢）との間で姿勢変化が可能となっている。
【００１８】
同図が示すように、防水カバー２２が開放姿勢となったときは、当該姿勢が面ファスナー２５（固定部材）によって固定される。具体的には、図１及び図２が示すように、面ファスナー２５は、ループテープ２６及びフックテープ２７を備えており、ループテープ２６が蓋１４の前面中央部に設けられ、フックテープ２７が防水カバー２２の延設部２４の中央部に設けられている。防水カバー２２が開放姿勢に姿勢変化されたときは、上記延設部２４に設けられたフックテープ２７が上記ループテープ２７と係合し、これにより、防水カバー２２は、当該開放姿勢に保持される。もっとも、釣人は、開放姿勢にある防水カバー２２を操作することにより、ループテープ２６とフックテープ２７との係合を解除し、防水カバー２２を上記被覆姿勢に変化させることができる。
【００１９】
この釣用バッグ１０では、防水カバー２２が被覆姿勢のときは、サイドポケット１８の上面２０が当該防水カバー２２によって覆われる。これにより、サイドポケット１８の確実な防水が実現される。防水カバー２２は、図２が示すように俯仰自在であるから、釣人は、片手で防水カバー２２を操作し、簡単に開放姿勢に姿勢変化させることができる。しかも、防水カバー２２は、面ファスナー２５によって開放姿勢に固定される。防水カバー２２が開放姿勢となれば、サイドポケット１８のスライドファスナー１９が露出する。したがって、釣人は、実釣中に片手で簡単にサイドポケット１８の開閉を行うことができ、必要な小道具を出し入れすることができる。
【００２０】
本実施形態では、防水カバー２２を上記開放姿勢に固定するために面ファスナー２５が採用されているが、これに限定されるものではない。例えば、面ファスナー２５に代えて、スナップ等が採用されてもよい。その場合、上記ループテープ２６に代えてスナップのソケット部材が取り付けられ、上記フックテープ２７に代えてスナップスタッド部材が取り付けられる。
【００２１】
＜第２の実施形態＞
次に、本発明の第２の実施形態について説明される。
図３は、本発明の第２の実施形態に係る釣用バッグの外観斜視図である。
【００２２】
本実施形態に係る釣用バッグ３０が上記第１の実施形態に係る釣用バッグ１０と異なるところは、上記釣用バッグ１０では、上記防水カバー２２は、弾性変形することによって俯仰自在であり、上記面ファスナー２５によって上記開放姿勢に固定されるようになっていたのに対し、本実施形態に係る釣用バッグ３０では、防水カバー２２がスライドファスナー３１によってバッグ本体１１の前面１７に着脱自在に設けられている点である。なお、その他の構成については、上記釣用バッグ１０と同様である。
【００２３】
この釣用バッグ３０では、釣人は、スライドファスナー３１を操作することによって、防水カバー２２がバッグ本体１１に取り付けられ、又は取り外される。この作業は、実釣中においても、釣人が片手で行うことができる。防水カバー２２が取り付けられることにより、サイドポケット１８の確実な防水が実現される。また、防水カバー２２が取り外されることにより、サイドポケット１８の上面２０が露出するから、釣人は、片手で簡単にサイドポケット１８の開閉を行うことができる。
【産業上の利用可能性】
【００２４】
本発明は、釣りの際に使用される釣用バッグに適用され得る。
【図面の簡単な説明】
【００２５】
【図１】図１は、本発明の第１の実施形態に係る釣用バッグの外観斜視図である。
【図２】図２は、本発明の第１の実施形態に係る釣用バッグの要部拡大側面図である。
【図３】図３は、本発明の第２の実施形態に係る釣用バッグの外観斜視図である。
【図４】図４は、従来の釣用バッグの外観斜視図である。
【符号の説明】
【００２６】
１０・・・釣用バッグ
１１・・・バッグ本体
１２・・・把手
１３・・・肩掛ベルト
１４・・・ケース
１５・・・蓋
１７・・・前面
１８・・・サイドポケット
１９・・・スライドファスナー
２０・・・上面
２１・・・側面
２２・・・防水カバー
２３・・・基部
２４・・・延設部
２５・・・面ファスナー
２６・・・ループテープ
２７・・・フックテープ
３０・・・釣用バッグ
３１・・・スライドファスナー
【図１】
2005261249.tif 000003
【図２】
2005261249.tif 000004
【図３】
2005261249.tif 000005
【図４】
2005261249.tif 000006